(57)【要約】【課題】グリル扉開閉時及びグリル皿摺動時の上下方向のがたつきを減らすことを目的とする。【解決手段】グリル扉３を閉める際、グリル把手底部８ａが弾力性のある材質のグリル把手受け９に当接した後、前記グリル把手受け９は前記グリル把手底部８ａ外形に沿って下方へ撓み、前記グリル扉３がグリルケース前面１ａに当接した時点で前記グリル把手底部８ａに嵌まり込むよう、前記グリル把手底部８ａに嵌め合い用開口部８ｂを設け、前記グリル把手受け９には嵌め合い用凸部９ａを設ける。【選択図】図１
2006317067.tif 000002
【特許請求の範囲】
【請求項１】
グリルケースに対してグリル皿が引き出し自在に構成されたグリルであって、前記グリル皿と連動して動くグリル扉と、前記グリル扉に締結されたグリル把手と、前記グリル扉を閉めた際に前記グリル把手を係止する手段を設けたグリル把手受けを備え、前記係止手段はグリル把手の底部に開口を設けるとともに、前記グリル把手受けに上下動自在な凸部を形成し、前記グリル扉の開閉時に前記凸部が上下動することで前記グリル皿の略水平方向の出し入れが可能となり、前記グリル扉を閉めたときは前記凸部が前記開口に嵌り込むことで係止状態を確保するようにしたグリル。
【請求項２】
係止手段はグリル把手の底部に凸部を設けるとともに、グリル把手受けに上下動自在な開口を形成し、グリル扉の開閉時に前記開口が上下動することでグリル皿の略水平方向の出し入れが可能となり、前記グリル扉を閉めたときは前記凸部が前記開口に嵌り込むことで係止状態を確保するようにした請求項１記載のグリル。
【請求項３】
グリル把手受けを弾力性のある材料とした請求項１または２記載のグリル。
【請求項４】
グリルケース外部の左右に設けたガイド部と、このガイド部によってガイドされその一端がグリル扉に連結されて前記グリル扉に連動して前後に摺動するレールと、一端がグリル扉の連結部材に載置され他端がグリルケース底部に載置されて前記グリル扉に連動して摺動するフレームとを備え、前記フレーム上に着脱自在にグリル皿を載置し前記グリル扉の開閉に連動して前記レールを介してグリル皿を出し入れするようにした請求項１または２記載のグリル。
【発明の詳細な説明】
【技術分野】
【０００１】
本発明は、グリル扉を引き出し自在に備えているグリルに関するものである。
【背景技術】
【０００２】
従来この種のグリルは、特許文献１に開示されているように、グリル庫の前面開口にグリル扉を前方向に開閉自在に設けるとともに、グリル皿を摺動自在に設置し、グリル扉を前方向に水平移動させたときグリル皿が連動するグリルにおいて、グリル扉に設けた係止溝とグリルケース側に設けた係止突起との係止によりグリル扉は所定位置に保持されるようになっていた（例えば、特許文献１参照）。
【０００３】
以下、グリル扉とグリルケースの係止構成について説明するが、上記文献には詳細な説明が開示されていないので、別の構成図を用いて説明する。
【０００４】
図３（ａ）（ｂ）（ｃ）は、従来のグリルを示すものである。図３（ａ）（ｂ）（ｃ）に示すように、グリルケース１と、グリルケース１の前面開口部を塞ぐグリル扉３と、グリルケース１庫内の側面に設けたガイド部２と、ガイド部２にガイドされ、前後に摺動自在に動くグリル皿７と、連結部材６によってグリル皿７に連結されたグリル扉３に締結されたグリル把手８と、グリル扉３を閉めた際にグリル把手８をその上に載置する目的のグリルケース１前面下部から手前側に突出したグリル把手受け９を備え、前記グリル把手８の底面には開口部８ｂが設けられ、前記グリル把手受け９には、グリル扉３を閉めた状態において前記グリル把手８の底面開口部８ｂに嵌まり込む上向きの凸部９ａが設けられている。これにより、グリル扉３を閉めた際、グリル扉３を所定の位置にセットできるため、グリル扉３を確実にグリルケース１前面に当接させグリルケース１前面を塞ぐことができる。
【特許文献１】特開平６−７０８５４号公報（第２図、段落［００１７］参照）
【発明の開示】
【発明が解決しようとする課題】
【０００５】
しかしながら、前記従来の構成では、グリル扉開閉時に、グリル把手の底面がグリル把手受けに設けた凸部を乗り越える際、グリル把手底面がグリル把手受け凸部の高さ分を上下へ移動する必要があり、これにより、グリル皿の前後摺動の円滑さが妨げられ、操作性が悪くなると共に、グリル把手底面がグリル把手受け凸部を乗り越える際の衝撃によって、グリル皿とグリル皿上に載置されたグリル網とががたつくことによる衝突音が発生し、不快感を感じる。
【０００６】
更に、一時的にグリル皿が上下方向へ動くため、グリル皿に必要以上に多く水が入っている場合、素早くグリル皿を出し入れすると、グリル皿から水が零れてしまう場合があるという課題を有していた。
【０００７】
本発明は、前記従来の課題を解決するもので、グリル扉開閉時の衝撃を緩和し、グリル皿の摺動を円滑にするグリルを提供することを目的とする。
【課題を解決するための手段】
【０００８】
前記従来の課題を解決するために本発明のグリルは、グリル扉を閉める際、グリル把手受けはグリル把手底部に当接した後、グリル把手底部外形に沿って下方へ撓み、グリル扉がグリルケース前面に当接した時点でグリル把手底部に嵌まり込むよう、グリル把手底部とグリル把手受けに嵌め合い用係止手段を設け、グリル把手受けを弾力性のある材質としたものである。
【０００９】
これにより、グリル扉開閉時に、グリル扉とグリル皿は上下方向のがたつきが生じにくいため、円滑にグリル皿を出し入れすることができ、且つ、グリル皿とグリル皿上に載置されたグリル網とのがたつきも減少するため、衝突音が発生しにくく、不快感を感じない。
【００１０】
更に、グリル把手底部がグリル把手受けに嵌まり込む際のグリル皿の上下方向への移動がないため、グリル皿に必要以上に多く水が入っている場合に素早くグリル皿を出し入れしても、グリル皿から水が零れにくい。
【発明の効果】
【００１１】
本発明のグリルは、グリル皿を出し入れする際、上下方向のがたつきが生じにくく、円滑に摺動できるため、操作性が向上すると共に、グリル皿とグリル皿上に載置されたグリル網とのがたつきも減少するため、衝突音が発生しにくく、不快感を感じない。
【発明を実施するための最良の形態】
【００１２】
第１の発明は、グリルケースに対してグリル皿が引き出し自在に構成されたグリルであって、前記グリル皿と連動して動くグリル扉と、前記グリル扉に締結されたグリル把手と、前記グリル扉を閉めた際に前記グリル把手を係止する手段を設けたグリル把手受けを備え、前記係止手段はグリル把手の底部に開口を設けるとともに、前記グリル把手受けに上下動自在な凸部を形成し、前記グリル扉の開閉時に前記凸部が上下動することで前記グリル皿の略水平方向の出し入れが可能となり、前記グリル扉を閉めたときは前記凸部が前記開口に嵌り込むことで係止状態を確保するようにしたことを特徴とするものである。
【００１３】
第２の発明は、係止手段はグリル把手の底部に凸部を設けるとともに、グリル把手受けに上下動自在な開口を形成し、グリル扉の開閉時に前記開口が上下動することでグリル皿の略水平方向の出し入れが可能となり、前記グリル扉を閉めたときは前記凸部が前記開口に嵌り込むことで係止状態を確保するようにしたことを特徴とするものである。
【００１４】
第３の発明は、グリル把手受けを弾力性のある材料としたことを特徴とするものである。
【００１５】
上記第１、第２、第３の発明により、グリル扉開閉時に、グリル扉とグリル皿の上下方向のがたつきが生じにくくなるため、円滑にグリル皿を出し入れすることができ、操作性が向上するとともに、グリル皿とグリル皿上に載置されたグリル網とのがたつきも減少するため、衝突音が発生しにくく、不快感を感じない。
【００１６】
また、グリル把手底部がグリル把手受けに嵌まり込む際のグリル皿の上下方向への移動がないため、グリル皿に必要以上に多く水が入っている場合に素早くグリル皿を出し入れしても、グリル皿から水が零れにくい。
【００１７】
また、グリル扉を閉めるとき、グリル把手底部の開口部または凸部がグリル把手受けの凸部または開口部に確実に嵌まり込むため、円滑に摺動するグリル扉を勢いよく閉めた場合においても、グリルケース前面に一旦当接したグリル扉が跳ね返されてグリル扉とグリルケース前面との間に隙間が開いてしまうという不具合も生じず、グリル扉を確実にグリルケース前面に当接させグリルケース前面を塞ぐことができる。
【００１８】
第４の発明は、グリルケース外部の左右に設けたガイド部と、このガイド部によってガイドされその一端がグリル扉に連結されて前記グリル扉に連動して前後に摺動するレールと、一端がグリル扉の連結部材に載置され他端がグリルケース底部に載置されて前記グリル扉に連動して摺動するフレームとを備え、前記フレーム上に着脱自在にグリル皿を載置し前記グリル扉の開閉に連動して前記レールを介してグリル皿を出し入れするようにしたことを特徴とするものである。
【００１９】
これにより、ガイドとレールの円滑な摺動に連動してグリル皿が摺動するため、さらにがたつきの少ない、より高級感のある操作性を得ることができる。
【００２０】
以下、本発明の実施の形態について図面を参照して説明する。なお、本実施の形態によって本発明が限定されるものではない。
【００２１】
（実施の形態１）
図１は本発明の実施の形態１におけるグリルのグリル扉を開閉する過程の状態を示すもので、（ａ）はグリル扉が開いた状態を示す図、（ｂ）はグリル扉が開く、又は閉まる寸前の状態を示す図、（ｃ）はグリル扉が閉まった状態を示す図である。
【００２２】
図１（ａ）において、グリルケース１の左右外側に設けたガイド部２内に、その一端をグリル扉３に連結されたレール４が摺動自在に収納されている。また、フレーム５の一端が前記グリル扉３に設けられた連結部材６に載置され、もう一方の一端はグリルケース底部１ｂに載置されている。フレーム５にはグリル皿７が着脱自在に載置されており、また、グリル皿７にはグリル網１０が載置されている。この構成によりグリル扉３の開閉に連動してグリル皿７が摺動する、また、グリル皿７はグリルケース１の外側に設けられたガイド部２の内側を摺動するレール４に連動して摺動するため、ガイド部２とレール４の関係を規制することで、がたつきのないスムーズな出し入れが可能となる。例えば、ガイド部２の内側にボールベアリング等を用いた摺動部材を設けることでレール４をスムーズに可動させることができ、結果的にグリル皿７の動きがスムーズなものになる。
【００２３】
また、グリル扉３には樹脂製のグリル把手８がネジ等により締結されており、このグリル把手８の底部８ａにはグリル把手底部開口部８ｂが設けられている。また、グリルケース１の前面１ａ下部にはグリル扉３を閉めたときに前記グリル把手８を係止するためのグリル把手受け９がネジあるいは溶接などの手段により締結されており、グリル扉３を閉めた際にグリル把手底部８ａの開口８ｂに対応する位置に上向きのグリル把手受け凸部９ａが設けられている。このグリル把手受け凸部９ａが開口８ｂに嵌まり込むことでグリル扉３を係止するようにしている。
【００２４】
また、グリル把手受け９はバネ用ステンレス鋼帯などの弾力性を有する材質で形成されており、グリル扉３を開くときにグリル把手８の係止状態を容易に解除し、閉めるときに容易に係止状態を確保するようにしている。
【００２５】
以上のように構成されたグリルについて、以下その動作、作用を説明する。
【００２６】
図１（ａ）において、グリル扉３を閉めていくとグリル把手底部８ａがグリル把手受け凸部９ａに当接する。さらに閉める方向に荷重を加えると図１（ｂ）に示すように、グリル把手底部８ａからグリル把手受け凸部９ａに力が加わることにより、グリル把手受け９はグリルケース１との締結部を支点として下方へ撓む。
【００２７】
そして、さらに荷重を加えグリル扉３を閉めた状態にすると図１（ｃ）に示すように、グリル把手受け９の弾性によりグリル把手底部開口部８ｂにグリル把手受け凸部９ａが嵌まり込む。その状態でグリル扉３はグリルケース前面１ａに当接し閉塞状態が確保されることになる。
【００２８】
なお、グリル扉３を開くときは上記と反対の作用によりグリル把手受け凸部９ａと開口部８ｂの係止状態が解除されてスムーズにグリル皿７を引き出すことができる。
【００２９】
（実施の形態２）
図２は本発明の実施の形態２におけるグリルのグリル扉を開閉する過程の状態を示すもので、（ａ）はグリル扉が開いた状態を示す図、（ｂ）はグリル扉が開く、又は閉まる寸前の状態を示す図、（ｃ）はグリル扉が閉まった状態を示す図である。
【００３０】
図２（ａ）において、グリルケース１左右外側に設けたガイド部２内に、その一端をグリル扉３に連結されたレール４が摺動自在に収納されている。また、フレーム５の一端が連結部材６に載置され、もう一方の一端はグリルケース底部１ｂに載置されている。フレーム５にはグリル皿７が着脱自在に載置されており、また、グリル皿７にはグリル網１０が載置されている。このグリル皿７の摺動構成は実施の形態１と同様である。
【００３１】
グリル扉３には樹脂製のグリル把手８がネジ等により締結されており、グリル把手８の底部８ａには下向きのグリル把手凸部８ｂが設けられている。グリルケース１の前面１ａ下部にはグリル把手受け９がネジあるいは溶接などの手段により締結されており、グリル扉３を閉めた際にグリル把手凸部８ｂに対応する位置にグリル把手受け開口部９ｂが開いている。グリル把手受け９はバネ用ステンレス鋼帯などの弾力性を有する材質で形成されている。実施の形態１と異なる点は、グリル扉３の係止構成として、グリル把手８側に係止用の凸部８ｂを設け、グリル把手受け９側に開口部９ｂを設けた点である。
【００３２】
以上のように構成されたグリルについて、以下その動作、作用を説明する。
【００３３】
図２（ａ）において、グリル扉３を閉めていくとグリル把手凸部８ｂがグリル把手受け前端部９ｃに当接する。さらに図２（ｂ）において、グリル把手凸部８ｂからグリル把手受け前端部９ｃに力が加わることにより、グリル把手受け９はグリルケース１との締結部を支点として下方へ撓む。
【００３４】
図２（ｃ）において、図２（ｂ）の状態からさらにグリル扉３を閉めると、グリル把手受け９の弾性によりグリル把手凸部８ｂがグリル把手受け開口部９ｂに嵌まり込む。その状態でグリル扉３はグリルケース前面１ａに当接する。
【産業上の利用可能性】
【００３５】
本発明にかかるグリルは、グリルケースに対してグリル扉とグリル皿が引き出し自在に構成されたグリル装置全般に適用できる。
【図面の簡単な説明】
【００３６】
【図１】（ａ）（ｂ）（ｃ）本発明の実施の形態１におけるグリルのグリル扉の開閉過程の状態を示す概略側断面図
【図２】（ａ）（ｂ）（ｃ）本発明の実施の形態２におけるグリルのグリル扉の開閉過程の状態を示す概略側断面図
【図３】（ａ）（ｂ）（ｃ）従来のグリルのグリル扉を閉める過程の状態を示す概略断断面図
【符号の説明】
【００３７】
１  グリルケース
１ａ  グリルケース前面
１ｂ  グリルケース底部
２  ガイド部
３  グリル扉
４  レール
５  フレーム
６  連結部材
７  グリル皿
８  グリル把手
８ａ  グリル把手底部
８ｂ  グリル把手底部開口部
８ｃ  グリル把手凸部
９  グリル把手受け
９ａ  グリル把手受け凸部
９ｂ  グリル把手受け開口部
【図１】
2006317067.tif 000003
【図２】
2006317067.tif 000004
【図３】
2006317067.tif 000005